(57)【要約】本発明はＬＥＤ、ＯＥＬＤのように面状発光する光源素子を備えるモジュールを灯器具に容易に着脱可能とした灯器具用光源モジュール締結装置に関するものであって、灯器具の一側に形成され、電源が供給されて伝達するための電源接触端子部、一側が前記電源接触端子部に締結され、前記電源接触端子部から電源が伝達されて発光するための光源モジュール部及び灯器具の他側に前記電源接触端子部と対向して形成され、前記光源モジュール部の他側を締結して支持するための支持部を含む。【選択図】図１
2018518809.tif 000002
【特許請求の範囲】
【請求項１】
灯器具の一側に形成され、電源が供給されて伝達するための電源接触端子部と、
一側が前記電源接触端子部に締結され、前記電源接触端子部から電源が伝達されて発光するための光源モジュール部と、
灯器具の他側に前記電源接触端子部と対向して形成され、前記光源モジュール部の他側を締結して支持するための支持部とを含むことを特徴とする灯器具用光源モジュール締結装置。
【請求項２】
前記電源接触端子部は、
前記灯器具の一側に形成され、電源を印加するための二つの挿入溝を備え、外部の電源が供給されて前記挿入溝を通じて供給する電源供給手段と、
前記挿入溝にそれぞれ形成され、前記光源モジュール部を前記挿入溝に締結する際に前記光源モジュール部に弾性を提供し、前記挿入溝を通じて供給される電源を前記光源モジュール部へ伝達する二つの第１接触手段とを含むことを特徴とする、請求項１に記載の灯器具用光源モジュール締結装置。
【請求項３】
前記第１接触手段は、
前記挿入溝の内側に形成されて、前記挿入溝を通じて供給される電源を伝達する第１電源伝達部材と、
前記挿入溝内に形成されて、前記挿入溝に沿って摺動往復移動しながら前記光源モジュール部と接触して電源を前記光源モジュール部へ伝達する接触カバー部材と、
一側が前記電源伝達部材に固定設置され、他側が前記接触カバー部材に固定設置されて、前記光源モジュール部を前記挿入溝に締結する際に前記接触カバー部材に弾性を提供しながら、前記電源伝達部材から伝達される電源を前記接触カバー部材へ伝達する第１弾性部材とを含むことを特徴とする、請求項２に記載の灯器具用光源モジュール締結装置。
【請求項４】
前記光源モジュール部は、
一側が前記電源接触端子部に締結され、前記電源接触端子部から電源が伝達されるための二つの接触端子と、
前記接触端子の他側に連結形成され、前記電源接触端子部から電源が供給されて発光するための一つまたはそれ以上の発光手段を含む光源モジュールと、
前記光源モジュールの他側に連結形成され、前記支持部に締結されるための弾性バーとを含むことを特徴とする、請求項１に記載の灯器具用光源モジュール締結装置。
【請求項５】
前記接触端子は、
一側が前記電源接触端子部に締結されて電源が伝達されるための端子手段と、
前記光源モジュールの他側に連結形成され、前記端子手段を挿入して摺動移動させるための貫通孔を備える連結手段と、
一側が前記端子手段の一側に固定設置されて共に摺動移動し、他側が前記連結手段の一側に挿入されて摺動移動し、弾性力が提供されて復帰する摺動手段と、
前記連結手段と摺動手段との間に形成され、前記摺動手段へ弾性力を提供するための第１弾性手段とを含むことを特徴とする、請求項４に記載の灯器具用光源モジュール締結装置。
【請求項６】
前記弾性バーは、
前記光源モジュールの他側に連結形成されて前記光源モジュールを支持するための支持手段と、
前記支持手段の他側で摺動手段により摺動移動し、弾性力が提供されて復帰し、他側が前記支持部に嵌められて締結されるための嵌め込み手段と、
前記支持手段と嵌め込み手段との間に形成されて弾性力を提供するための一つまたはそれ以上の第２弾性手段とを含むことを特徴とする、請求項５に記載の灯器具用光源モジュール締結装置。
【請求項７】
前記光源モジュール部は、
二つの摺動溝を備え、電源を前記摺動溝を通じて伝達する電源伝達手段と、
前記摺動溝にそれぞれ形成され、一側が前記電源接触端子部に締結される際に前記電源接触端子部に弾性を提供し、前記電源接触端子部から伝達される電源を前記摺動溝へ伝達するための二つの第２接触手段と、
前記電源伝達手段に連結形成され、前記摺動溝を通じて伝達される電源を印加して発光するための発光手段とを含むことを特徴とする、請求項１に記載の灯器具用光源モジュール締結装置。
【請求項８】
前記第２接触手段は、
前記摺動溝の内部に形成されて、前記電源接触端子部から伝達される電源を前記摺動溝へ伝達する第２電源伝達部材と、
内部に収容溝を備え、前記摺動溝に沿って摺動往復移動しながら前記電源接触端子部と接触して前記電源接触端子部から伝達される電源を前記第２電源伝達部材へ伝達する端子部材と、前記収容溝に挿入設置されて、前記端子部材が前記電源接触端子部に締結される際に前記端子部材に弾性を提供する第２弾性部材とを含むことを特徴とする、請求項７に記載の灯器具用光源モジュール締結装置。
【請求項９】
前記光源モジュール部は、一側下部に形成され、指を係止して下げたり、上げたりするための取手手段をさらに含むことを特徴とする、請求項８に記載の灯器具用光源モジュール締結装置。
【請求項１０】
前記支持部は、
前記灯器具の少なくとも一領域に固定設置されるハウジング部材と、
前記ハウジング部材の内側に形成されて、前記光源モジュール部の一側を挿入締結する締結溝部材とを含むことを特徴とする、請求項１に記載の灯器具用光源モジュール締結装置。
【請求項１１】
前記支持部は、前記締結溝部材の内部に形成され、前記光源モジュール部の一側を前記締結溝部材に挿入締結する際に前記光源モジュール部の一側に弾性を提供する弾性部材をさらに含むことを特徴とする、請求項１０に記載の灯器具用光源モジュール締結装置。
【請求項１２】
前記弾性部材は、
前記締結溝部材内に収容形成され、前記光源モジュール部を前記締結溝部材に締結する際に前記光源モジュール部に弾性を提供する弾性ユニットと、
一側が前記弾性ユニットに固定設置され、他側が前記光源モジュール部と接触して前記光源モジュール部から伝達される力を前記弾性ユニットへ伝達する接触カバーユニットとを含むことを特徴とする、請求項１１に記載の灯器具用光源モジュール締結装置。
【請求項１３】
前記ハウジング部材は、前記締結溝部材内に連結設置されて、前記光源モジュール部を押すための押し部材をさらに含むことを特徴とする、請求項１０に記載の灯器具用光源モジュール締結装置。
【請求項１４】
前記押し部材は、
前記締結溝部材内に形成されて、前記締結溝部材に沿って往復移動しながら前記光源モジュール部と接触して前記光源モジュール部を前方へ押す押し台ユニットと、
一側が前記押し台ユニットに固定設置され、他側が前記締結溝部材の内側に固定設置されて、前記光源モジュール部を前記締結溝部材から押し出す際に前記押し台ユニットに弾性を提供するスプリングユニットとを含むことを特徴とする、請求項１３に記載の灯器具用光源モジュール締結装置。
【請求項１５】
前記ハウジング部材は、内側または外側方向に所定の角度で傾斜して形成されることを特徴とする、請求項１０に記載の灯器具用光源モジュール締結装置。
【請求項１６】
前記ハウジング部材は、Ｌ字状に形成されて、前記光源モジュール部の角を挿入締結することを特徴とする、請求項１０に記載の灯器具用光源モジュール締結装置。
【請求項１７】
前記ハウジング部材は、内側に前記弾性部材が複数形成されることを特徴とする、請求項１６に記載の灯器具用光源モジュール締結装置。
【発明の詳細な説明】
【技術分野】
【０００１】
本発明は、灯器具用光源モジュール締結装置に関し、特にＬＥＤ、ＯＥＬＤのように面状発光する光源素子を備えるモジュールを灯器具に容易に着脱可能とした灯器具用光源モジュール締結装置に関する。
【背景技術】
【０００２】
家庭や事務空間の室内に設置される照明としては、一般的に光ランプ、白熱電球、及びハロゲンランプのような室内照明灯が室内の天井もしくは壁面に取り付けられた状態で用いられている。
【０００３】
このような室内照明灯は、消耗される消費電力が大きく、発熱特性があり、寿命が約６ヵ月程度で短くて頻繁に交換しなければならないという欠点を有している。特に、蛍光ランプや白熱電球の場合には、破損の恐れがあるため回収に困難が多く、回収中に破損等による環境汚染の問題もある。
【０００４】
一方、ＬＥＤ（Ｌｉｇｈｔ  Ｅｍｉｔｔｉｎｇ  Ｄｉｏｄｅ）は、発光ダイオードであって、消費電力が少なく、発熱特性のない高効率の光源であり、寿命も約１００，０００時間で非常に長く、次世代の照明手段として注目されている。
【０００５】
韓国登録実用新案第２０‐０４６３２４０号（２０１２年１０月１８日）は、照明灯ケースの一端に突出されているワンタッチボタンスイッチを押す動作で複数のＬＥＤを点灯させて前記照明灯ケースに所定間隔で形成されている複数の照明孔を通じて陳列棚または販売台に陳列されている商品を照明することができる移動設置及び携帯可能なＬＥＤ照明灯に関して記載されている。記載された技術によれば、一端にはワンタッチボタンスイッチが装着されており、他端には雄ねじが突出形成されている本体と、前記本体に所定間隔で収納設置されている複数のＬＥＤと、前記複数のＬＥＤの間ごとに形成された複数の収納室それぞれに一つずつ挿脱可能に収納される複数のバッテリと、前記複数のＬＥＤとバッテリ及びワンタッチボタンスイッチが閉回路状態で半田付けされる印刷回路基板が装着されているＬＥＤ照明本体、前記ＬＥＤ照明本体を分離可能に挿入設置される中空部と、前記ＬＥＤ照明本体に設置されている複数のＬＥＤそれぞれから発光する光が外部へ照明されるようにする複数の照明孔が所定間隔で形成されている照明灯ケース、前記照明灯ケースの他端へ挿入されながら前記ＬＥＤ照明本体の他端に突出された雄ねじにねじ組み立てられる雌ねじが形成されて照明灯ケースの他端を覆蓋する仕上げキャップ及び前記照明灯ケースに挿入設置されたＬＥＤ照明本体に形成されている複数のＬＥＤから発光する光で陳列棚に陳列されている様々な商品を照明することができるようにするために前記照明灯ケースを着脱可能に設置することができるようにする照明灯設置溝が形成されており、また前記陳列棚の壁面や底面に選択的に固定取り付けることができる照明灯設置部材を含む。
【０００６】
前述のような従来の照明装置は、家庭で子供や主婦等のような非熟練者が灯器具に電球やＬＥＤ照明のような発光手段を着脱することが容易ではないという欠点を有していた。
【０００７】
前述のような従来の照明装置は、発光手段であるＬＥＤチップの一部が故障した時に、当該発光手段の一部を交換することができず、発光手段全体を交換しなければならないので、このような交換により資源の浪費が発生するという問題点を有していた。
【発明の概要】
【発明が解決しようとする課題】
【０００８】
本発明が達成しようとする技術的課題は、前述のような欠点と問題点を解決するためのものであって、ＬＥＤ、ＯＥＬＤのように面状発光する光源素子を備えるモジュールを灯器具に容易に着脱可能とした灯器具用光源モジュール締結装置を提供する。
【課題を解決するための手段】
【０００９】
このような課題を解決するためには、本発明の一特徴によれば、灯器具の一側に形成され、電源が供給されて伝達するための電源接触端子部と、一側が前記電源接触端子部に締結され、前記電源接触端子部から電源が伝達されて発光するための光源モジュール部と、灯器具の他側に前記電源接触端子部と対向して形成され、前記光源モジュール部の他側を締結して支持するための支持部とを含む灯器具用光源モジュール締結装置を提供する。
【００１０】
一実施例において、前記電源接触端子部は、前記灯器具の一側に形成され、電源を印加するための二つの挿入溝を備え、外部の電源が供給されて前記挿入溝を通じて供給する電源供給手段と、前記挿入溝にそれぞれ形成され、前記光源モジュール部を前記挿入溝に締結する際に前記光源モジュール部に弾性を提供し、前記挿入溝を通じて供給される電源を前記光源モジュール部へ伝達する二つの第１接触手段とを含むことができる。
【００１１】
一実施例において、前記第１接触手段は、前記挿入溝の内側に形成されて、前記挿入溝を通じて供給される電源を伝達する第１電源伝達部材と、前記挿入溝内に形成されて、前記挿入溝に沿って摺動往復移動しながら前記光源モジュール部と接触して電源を前記光源モジュール部へ伝達する接触カバー部材と、一側が前記電源伝達部材に固定設置され、他側が前記接触カバー部材に固定設置されて、前記光源モジュール部を前記挿入溝に締結する際に前記接触カバー部材に弾性を提供しながら、前記電源伝達部材から伝達される電源を前記接触カバー部材へ伝達する第１弾性部材とを含むことができる。
【００１２】
一実施例において、前記光源モジュール部は、一側が前記電源接触端子部に締結され、前記電源接触端子部から電源が伝達されるための二つの接触端子と、前記接触端子の他側に連結形成され、前記電源接触端子部から電源が供給されて発光するための一つまたはそれ以上の発光手段を含む光源モジュールと、前記光源モジュールの他側に連結形成され、前記支持部に締結されるための弾性バーとを含むことができる。
【００１３】
一実施例において、前記接触端子は、一側が前記電源接触端子部に締結されて電源が伝達されるための端子手段と、前記光源モジュールの他側に連結形成され、前記端子手段を挿入して摺動移動させるための貫通孔を備える連結手段と、一側が前記端子手段の一側に固定設置されて共に摺動移動し、他側が前記連結手段の一側に挿入されて摺動移動し、弾性力が提供されて復帰する摺動手段と、前記連結手段と摺動手段との間に形成され、前記摺動手段へ弾性力を提供するための第１弾性手段とを含むことができる。
【００１４】
一実施例において、前記弾性バーは、前記光源モジュールの他側に連結形成されて前記光源モジュールを支持するための支持手段と、前記支持手段の他側で摺動手段により摺動移動し、弾性力が提供されて復帰し、他側が前記支持部に嵌められて締結されるための嵌め込み手段と、前記支持手段と嵌め込み手段との間に形成されて弾性力を提供するための一つまたはそれ以上の第２弾性手段とを含むことができる。
【００１５】
一実施例において、前記光源モジュール部は、二つの摺動溝を備え、電源を前記摺動溝を通じて伝達する電源伝達手段と、前記摺動溝にそれぞれ形成され、一側が前記電源接触端子部に締結される際に前記電源接触端子部に弾性を提供し、前記電源接触端子部から伝達される電源を前記摺動溝へ伝達するための二つの第２接触手段と、前記電源伝達手段に連結形成され、前記摺動溝を通じて伝達される電源を印加して発光するための発光手段とを含むことができる。
【００１６】
一実施例において、前記第２接触手段は、前記摺動溝の内部に形成されて、前記電源接触端子部から伝達される電源を前記摺動溝へ伝達する第２電源伝達部材と、内部に収容溝を備え、前記摺動溝に沿って摺動往復移動しながら前記電源接触端子部と接触して前記電源接触端子部から伝達される電源を前記第２電源伝達部材へ伝達する端子部材と、前記収容溝に挿入設置されて、前記端子部材が前記電源接触端子部に締結される際に前記端子部材に弾性を提供する第２弾性部材とを含むことができる。
【００１７】
一実施例において、前記光源モジュール部は、一側下部に形成され、指を係止して下げたり、上げたりするための取手手段をさらに含むことができる。
【００１８】
一実施例において、前記支持部は、前記灯器具の少なくとも一領域に固定設置されるハウジング部材と、前記ハウジング部材の内側に形成されて、前記光源モジュール部の一側を挿入締結する締結溝部材とを含むことができる。
【００１９】
一実施例において、前記支持部は、前記締結溝部材の内部に形成され、前記光源モジュール部の一側を前記締結溝部材に挿入締結する際に前記光源モジュール部の一側に弾性を提供する弾性部材をさらに含むことができる。
【００２０】
一実施例において、前記弾性部材は、前記締結溝部材内に収容形成され、前記光源モジュール部を前記締結溝部材に締結する際に前記光源モジュール部に弾性を提供する弾性ユニットと、一側が前記弾性ユニットに固定設置され、他側が前記光源モジュール部と接触して前記光源モジュール部から伝達される力を前記弾性ユニットに伝達する接触カバーユニットとを含むことができる。
【００２１】
一実施例において、前記ハウジング部材は、前記締結溝部材内に連結設置されて、前記光源モジュール部を押すための押し部材をさらに含むことができる。
【００２２】
一実施例において、前記押し部材は、前記締結溝部材内に形成されて、前記締結溝部材に沿って往復移動しながら前記光源モジュール部と接触して前記光源モジュール部を前方へ押す押し台ユニットと、一側が前記押し台ユニットに固定設置され、他側が前記締結溝部材の内側に固定設置されて、前記光源モジュール部を前記締結溝部材から押し出す際に前記押し台ユニットに弾性を提供するスプリングユニットとを含むことができる。
【００２３】
一実施例において、前記ハウジング部材は、内側または外側方向に所定の角度で傾斜して形成されることができる。
【００２４】
一実施例において、前記ハウジング部材は、Ｌ字状に形成されて、前記光源モジュール部の角を挿入締結することができる。
【００２５】
一実施例において、前記ハウジング部材は、内側に前記弾性部材が複数形成されることができる。
【発明の効果】
【００２６】
本発明によれば、ＬＥＤ、ＯＥＬＤのように面状発光する光源素子を備えるモジュールを灯器具に容易に着脱可能とした灯器具用光源モジュール締結装置を提供することで、作業者がより容易に灯器具に発光手段を着脱することができる効果を奏する。
【００２７】
本発明によれば、発光手段である平板型光源モジュールの交換時、照明全体の灯器具の着脱により発生し得る安全事故の危険から作業者を保護し、非専門家である一般の個人消費者が容易に着脱して事故危険の防止効果を奏する。
【００２８】
本発明によれば、灯器具内で発光手段の左右位置の移動をより効果的にすることで、より精密な位置調整で光源の位置及びモジュールの消費電力量を調節して全体的な光量を容易に調節することができる効果を奏する。
【００２９】
本発明によれば、発光手段であるＬＥＤチップが故障した時、当該故障したＬＥＤモジュールのみを交換することで、発光手段全体を交換することにより発生する資源の浪費を防止することができる効果を奏する。
【図面の簡単な説明】
【００３０】
【図１】本発明の第１実施例による灯器具用光源モジュール締結装置を説明する図である。
【図２】本発明の第１実施例による灯器具用光源モジュール締結装置を説明する図である。
【図３】本発明の実施例による電源接触端子部を説明する図である。
【図４】本発明の実施例による電源接触端子部の動作を説明する図である。
【図５】本発明の第１実施例による光源モジュール部を説明する図である。
【図６】図５にある接触端子を説明する図である。
【図７】図５にある接触端子を説明する図である。
【図８】本発明の第２実施例による光源モジュール部を説明する図である。
【図９】図８にある光源モジュール部の動作を説明する図である。
【図１０】図５にある弾性バーを説明する図である。
【図１１】本発明の実施例による光源モジュール部２００の取手部材２５０を説明する図である。
【図１２】本発明の第１実施例による支持部を説明する図である。
【図１３】本発明の第１実施例による支持部を説明する図である。
【図１４】本発明の第２実施例による支持部を説明する図である。
【図１５】本発明の第２実施例による支持部を説明する図である。
【図１６】本発明の第３実施例による支持部を説明する図である。
【図１７】本発明の第３実施例による支持部を説明する図である。
【図１８】図１４〜図１７にある支持部が適用された灯器具用光源モジュール締結装置を説明する図である。
【発明を実施するための最良の形態】
【００３１】
下記では、添付図面を参考として、本発明の実施例について本発明が属する技術分野において通常の知識を有する者が容易に実施することができるように詳しく説明する。しかしながら、本発明に関する説明は、構造的ないし機能的説明のための実施例に過ぎないため、本発明の権利範囲は、本文に説明された実施例により制限されるものと解釈されてはならない。すなわち、実施例は多様な変更が可能であり、様々な形態を有し得るため、本発明の権利範囲は技術的思想を実現することができる均等物を含むものと理解されるべきである。また、本発明において提示された目的または効果は、特定の実施例がこれを全て含むべきであるか、そのような効果のみを含むべきであるという意味ではないため、本発明の権利範囲は、これにより制限されるものと理解されてはならない。
【００３２】
一方、本発明で述べられる用語の意味は、次のように理解されるべきである。
【００３３】
「第１」、「第２」等の用語は、一つの構成要素を他の構成要素から区別するためのものであって、これらの用語により権利範囲が限定されてはならない。例えば、第１構成要素は第２構成要素として命名されることができ、同様に第２構成要素も第１構成要素として命名されることができる。
【００３４】
ある構成要素が他の構成要素に「連結されて」いると言及された時には、その他の構成要素に直接的に連結されることもできるが、中間に他の構成要素が存在することもできると理解されるべきである。一方、ある構成要素が他の構成要素に「直接連結されて」いると言及された時には、中間に他の構成要素が存在しないものと理解されるべきである。他方、構成要素間の関係を説明する他の表現、すなわち「〜の間に」と「直〜の間に」または「〜に隣接する」と「〜に直接隣接する」等も同様と解釈されるべきである。
【００３５】
単数の表現は、文脈上明らかに異なる意味を有しない限り、複数の表現を含むものと理解されるべきであり、「含む」または「有する」等の用語は実施された特徴、数字、段階、動作、構成要素、部分品またはこれらを組み合わせたものが存在することを指定しようとするものであり、一つまたはそれ以上の他の特徴や数字、段階、動作、構成要素、部分品またはこれらを組み合わせたものの存在または付加可能性を予め排除しないものと理解されるべきである。
【００３６】
ここで用いられる全ての用語は、異なる意味として定義されない限り、本発明が属する分野において通常の知識を有する者により一般的に理解されるものと同じ意味を有する。一般的に用いられる、事前に定義されている用語は、関連技術の文脈上有する意味と一致するものと解釈されるべきであり、本発明において明らかに定義しない限り、異常または過度に形式的な意味を有するものと解釈されてはならない。
【００３７】
ここに、本発明の実施例による灯器具用光源モジュール締結装置について図面を参考として詳細に説明する。
【００３８】
図１及び図２は、本発明の第１実施例による灯器具用光源モジュール締結装置を説明する図である。
【００３９】
図１及び図２によれば、灯器具用光源モジュール締結装置１０は、電源接触端子部１００、光源モジュール部２００及び支持部３００を含む。
【００４０】
電源接触端子部１００は、灯器具１の一側に支持部３００と所定の間隔（すなわち、光源モジュール部２００を締結するための空間）を有して平行に形成され、電源供給装置（例えば、外部電源または内部バッテリ等）から電源が供給され、当該供給された電源を光源モジュール部２００へ伝達する。
【００４１】
一実施例において、電源接触端子部１００は、図１に示すように左右の長手方向に長く形成されることで、光源モジュール部２００を締結して電源を供給するための複数の第１接触手段１２０を形成して使用者の所望する位置に光源モジュール部２００を締結可能とするだけでなく、図２に示すように一対の第１接触手段１２０のみを形成することで、既設定された特定の位置に光源モジュール部２００を締結させることができる。
【００４２】
光源モジュール部２００は、一側が電源接触端子部１００に締結され、他側が支持部３００に締結され、電源接触端子部１００から電源が伝達され、当該伝達された電源で発光する。
【００４３】
一実施例において、光源モジュール部２００は、電源接触端子部１００から伝達された電源が交流電源である場合に備えて、交流電源を直流電源に変換させるためのＤＣコンバータ回路を備えることができる。
【００４４】
支持部３００は、灯器具１の他側に電源接触端子部１００と所定の間隔（すなわち、光源モジュール部２００を締結するための空間）を有して平行に形成され、光源モジュール部２００の他側を締結して支持する。
【００４５】
前述のような構成を有する灯器具用光源モジュール締結装置１０は、光源モジュール部２００が電源接触端子部１００と支持部３００との間の空間で左右方向に自在に移動可能とすることで、左右方向の設置が自由であるだけでなく、左右方向の広さが多様な光源モジュール部２００を製作することができる。
【００４６】
前述のような構成を有するＬＥＤ、ＯＥＬＤのように面状発光する光源素子を備える光源モジュール部２００を灯器具１に容易に着脱可能とすることで、家庭で子供や主婦のような非熟練者がより容易に灯器具に発光手段を着脱することができる。
【００４７】
前述のような構成を有する灯器具用光源モジュール締結装置１０は、灯器具１内で光源モジュール部２００の左右位置の移動をより効果的にすることで、より精密な位置調整で光源の位置及びモジュールの消費電力量を調節して全体的な光量を容易に調節することができる。
【００４８】
前述のような構成を有する灯器具用光源モジュール締結装置１０は、発光手段であるＬＥＤチップが故障した時、当該故障した光源モジュール部２００のみを交換することで、発光手段全体を交換することにより発生する資源の浪費を防止することができる。
【００４９】
前述のような構成を有する灯器具用光源モジュール締結装置１０は、光源モジュール部２００内に自体的にＤＣコンバータ回路を備えることで、外部ＤＣコンバーターを別途に用いなくてもよい。
【００５０】
図３は、本発明の実施例による電源接触端子部を説明する図である。
【００５１】
図３によれば、電源接触端子部１００は、電源供給手段１１０及び第１接触手段１２０を含む。
【００５２】
電源供給手段１１０は、灯器具１の一側に結合形成されて光源モジュール部２００を安定的に支持し、光源モジュール部２００との結合のために二つの挿入溝１１１を備える。挿入溝１１１を通じて光源モジュール部２００が挿入されると、電源供給手段１１０は光源モジュール部２００と電気的に連結されて供給された外部の電源を挿入溝１１１を通じて光源モジュール部２００へ供給する。
【００５３】
一実施例において、電源供給手段１１０は、挿入溝１１１の入口の上部または下部が既設定された傾き（例えば、１０°〜３０°等）で傾斜が形成されることで、光源モジュール部２００が傾斜面に沿って挿入溝１１１へ容易に挿入されるようにガイドすることができる。
【００５４】
第１接触手段１２０は、電源供給手段１１０に形成された二つの挿入溝１１１の内部にそれぞれ収容形成され、挿入溝１１１を通じて電源供給手段１１０から供給される電源を光源モジュール部２００へ伝達する。特に、光源モジュール部２００を挿入溝１１１に締結する際に発生する加圧力に対応して光源モジュール部２００に弾性を提供する。
【００５５】
一実施例において、第１接触手段１２０は、第１電源伝達部材１２１、接触カバー部材１２２及び第１弾性部材１２３を含むことができる。
【００５６】
第１電源伝達部材１２１は、二つの挿入溝１１１の内側に形成されて、挿入溝１１１を通じて電源供給手段１１０から供給される電源を光源モジュール部２００に伝達する。すなわち、二つの第１電源伝達部材１２１の一つは外部電源から第１電源が供給され、他の一つは外部電源から第２電源が供給されて光源モジュール部２００に伝達する。
【００５７】
一実施例において、第１電源伝達部材１２１は、直流電源供給装置（例えば、外部電源または内部バッテリ等）から直流電源が供給されることができ、交流電源供給装置から交流電源が供給されることができる。
【００５８】
一実施例において、第１電源伝達部材１２１は、第１弾性部材１２３との結合を強固にするために第１弾性部材１２３の一側に挿入固定されるための結合突起（図３の１２１−１参照）を備えることができる。結合突起（図３の１２１−１参照）と第１弾性部材１２３の一側は熱接着により締結されることができる。
【００５９】
接触カバー部材１２２は、挿入溝１１１内に形成され、一側が挿入溝の開口部を塞いでおり、光源モジュール部２００が挿入溝に挿入されると、一側が光源モジュール部２００に接触すると同時に接触カバー部材１２２が挿入溝に沿って摺動往復移動しながら第１電源伝達部材１２１から伝達された電源を光源モジュール部２００へ伝達する。接触カバー部材１２２は電源を光源モジュール部２００へ伝達するために、電気を伝達する材質（例えば、鉄、銅等）で形成される。
【００６０】
一実施例において、接触カバー部材１２２は、第１弾性部材１２３の他側を挿入固定するために接触カバー部材１２２の他側には第１弾性部材１２３と結合される結合溝（図４の１２２−１参照）を備えることができる。
【００６１】
第１弾性部材１２３は、弾性を有しながら電気を伝達する材質（例えば、鉄、銅等）のスプリング状に形成され、一側が第１電源伝達部材１２１に固定設置され、他側が接触カバー部材１２２に固定設置される。すなわち、第１弾性部材１２３は第１電源伝達部材１２１と接触カバー部材１２２を電気的に連結させ、これを通じて、第１電源伝達部材１２１から伝達される電源を接触カバー部材１２２へ伝達する。また、第１弾性部材１２３は、光源モジュール部２００を挿入溝１１１に締結する際に接触カバー部材１２２に弾性を提供して、接触カバー部材１２２が挿入溝１１１に沿って摺動往復運動することができるように接触カバー部材１２２に弾性力を提供する。
【００６２】
一実施例において、第１接触手段１２０は、第１離脱防止部材（図４の１２４参照）をさらに含むことができる。
【００６３】
第１離脱防止部材（図３の１２４参照）は、光源モジュール部２００の端子部材２２２が挿入溝１１１から分離される場合、第１弾性部材１２３から弾性力の提供された接触カバー部材１２２が挿入溝１１１の外部へ離脱されることを防止する。
【００６４】
一実施例において、第１離脱防止部材（図４の１２４参照）は、第１係止顎（図４の１２４−１参照）及び第１係止突起（図４の１２４−２参照）を含むことができる。
【００６５】
第１係止顎（図４の１２４−１参照）は挿入溝１１１の内側面に突出形成され、接触カバー部材１２２が挿入溝１１１内で外部へ離脱されないように係止する。第１係止顎（図４の１２４−１参照）は、挿入溝１１１の周りに沿って連続した一つの環状に突出形成され得るが、実施例によっては複数の第１係止顎（１２４−１）が互いに所定の間隔をなしながら挿入溝１１１の内側面に分離形成されることができる。
【００６６】
第１係止突起（図４の１２４−２参照）は接触カバー部材１２２の外側面に突出形成され、挿入溝１１１の内側面に形成された係止顎（図３の１２４−１参照）に係止されることで、接触カバー部材１２２が挿入溝１１１の外部へ離脱されることを防止する。
【００６７】
図４は、本発明の実施例による電源接触端子部の動作を説明する図である。
【００６８】
図４によれば、まず、図４の（ａ）に示されるように、接触カバー部材１２２は光源モジュール部２００の端子部材の挿入前には挿入溝１１１を閉鎖して異物が挿入溝１１１の内部へ流入されることを防止する。
【００６９】
逆に、図４の（ｂ）に示されるように、光源モジュール部２００の一側が挿入溝１１１に挿入されると、接触カバー部材１２２が挿入溝１１１に沿って後へ移動することによって、使用者が光源モジュール部２００の反対一側を支持部３００に容易に結合させることができる。以後、光源モジュール部２００の反対一側が支持部３００に結合されると、接触カバー部材１２２は挿入溝に沿って前進移動することによって支持部３００と共に光源モジュール部２００を安定的に支持することができる。
【００７０】
図５は、本発明の第１実施例による光源モジュール部を説明する図である。
【００７１】
図５によれば、光源モジュール部２００は、二つの接触端子２１０−１、２１０−２、光源モジュール２２０及び弾性バー２３０を含む。
【００７２】
接触端子２１０は、光源モジュール部２００の一側に形成され、一側が電源接触端子部１００（さらに詳しくは、第１端子部材１２０または第２端子部材１３０）に締結されて電源接触端子部１００から電源が伝達され、当該伝達された電源を光源モジュール２２０へ伝達する。
【００７３】
光源モジュール２２０は、一側に二つの接触端子２１０−１、２１０−２が形成され、他側に弾性バー２３０が形成され、接触端子２１０を通じて電源接触端子部１００から伝達された交流電源を直流電源に変換するための電源変換装置（すなわち、ＤＣ電源印加回路、説明の便宜上、図面には示さない）を備え、当該電源変化装置で変換した直流電源が供給されて発光するための一つまたはそれ以上の発光手段（例えば、ＬＥＤ電球等）を含む。
【００７４】
弾性バー２３０は、光源モジュール２２０の他側に連結形成され、支持部３００に締結される。 
【００７５】
図６及び図７は、図５にある接触端子を説明する図である。
【００７６】
図６によれば、接触端子２１０は、端子手段２１１、連結手段２１２、摺動手段２１３及び第１弾性手段２１４を含む。
【００７７】
端子手段２１１は、一側の末端が電源接触端子部１００に締結され、他側の末端が光源モジュール２２０で電源を受け入れる部分（すなわち、電源変換装置（説明の便宜上、図面には示さない））に連結設置され、一側が摺動手段２１３の一側に固定設置されて共に摺動移動し、他側が連結手段２１２の貫通孔に挿入されて摺動移動し、電源接触端子部１００から電源が伝達され、当該伝達された電源を光源モジュール２２０へ伝達する。
【００７８】
連結手段２１２は、光源モジュール２２０の他側に連結形成され、端子手段２１１を挿入して摺動移動させるための貫通孔を備える。
【００７９】
摺動手段２１３は、一側が端子手段２１１の一側に固定設置されて共に摺動移動し、他側が連結手段２１２の一側に挿入（すなわち、摺動移動させるための溝２１２１）されて摺動移動し、第１弾性手段２１４から弾性力が提供されて復帰する。
【００８０】
一実施例において、連結手段２１２は、一側に摺動手段２１３の他側を挿入した後、摺動移動させるための溝２１２１を形成することができる。
【００８１】
第１弾性手段２１４は、連結手段２１２と摺動手段２１３との間に形成され、弾性力を有する材質（例えば、ばね等）で形成されて摺動手段２１３へ弾性力を提供する。
【００８２】
図７によれば、接触端子２１０は、接触端子手段２１５、スプリング電源端子手段２１６、上端押圧体手段２１７及び外部ケース手段２１８を含む。
【００８３】
接触端子手段２１５は、電気を伝達する材質で形成され、一側の末端が電源接触端子部１００に締結され、他側の末端がスプリング電源端子手段２１６に連結設置され、電源接触端子部１００から電源が伝達され、当該伝達された電源をスプリング電源端子手段２１６へ伝達する。
【００８４】
スプリング電源端子手段２１６は、弾性を有しながら電気を伝達する材質のスプリング状に形成され、一側の末端が接触端子手段２１５に締結され、他側の末端が光源モジュール２２０で電源を受け入れる部分（すなわち、電源変換装置（説明の便宜上、図面には示さない））に連結設置され、接触端子手段２１５から電源が伝達され、当該伝達された電源を光源モジュール２２０へ伝達する。
【００８５】
一実施例において、スプリング電源端子手段２１６は、一側が接触端子手段２１５と熱接着により締結されることができる。
【００８６】
上端押圧体手段２１７は、絶縁性材質（例えば、プラスチック等）で形成され、スプリング電源端子手段２１６の一側を挿入して締結し、外部ケース手段２１８の内部空間中の上部でスプリング電源端子手段２１６の弾性力により摺動移動する。
【００８７】
一実施例において、上端押圧体手段２１７は、下側面がスプリング電源端子手段２１６の曲がる曲線に対応して傾斜するように形成されることができる。
【００８８】
外部ケース手段２１８は、絶縁性材質（例えば、プラスチック等）で形成され、内部空間を形成し、一側へ上端押圧体手段２１７の一側が貫通し、他側へスプリング電源端子手段２１６の他側が貫通し、内部空間にスプリング電源端子手段２１６及び上端押圧体手段２１７が挿入形成され、スプリング電源端子手段２１６の弾性力により内部空間の上部で上端押圧体手段２１７が摺動移動する。
【００８９】
一実施例において、外部ケース手段２１８は、内部空間の下側面がスプリング電源端子手段２１６の曲がる曲線に対応して傾斜するように形成されることができる。
【００９０】
図８は、本発明の第２実施例による光源モジュール部を説明する図である。
【００９１】
図８によれば、光源モジュール部１２００は、電源伝達手段１２１０、二つの第２接触手段１２２０及び発光手段１２３０を含む。
【００９２】
電源伝達手段１２１０は、電源接触端子部１００と結合される一側に二つの摺動溝１２１１を備え、電源接触端子部１００から伝達された電源を摺動溝１２１１を通じて発光手段１２３０へ伝達する。
【００９３】
一実施例において、電源伝達手段１２１０は、発光手段１２３０の一側に固定結合されて、発光手段１２３０と一体化した形態で形成されることができる。
【００９４】
第２接触手段１２２０は、二つの摺動溝１２１１にそれぞれ収容形成され、一側が電源接触端子部１００に締結される際に発生する加圧力に対応して電源接触端子部１００に弾性を提供する。また、第２接触手段１２２０は、電源接触端子部との結合を通じて電源接触端子部１００から伝達される電源を摺動溝１２１１へ伝達する。
【００９５】
一実施例において、第２接触手段１２２０は、第２電源伝達部材１２２１、端子部材１２２２及び第２弾性部材１２２３を含むことができる。
【００９６】
第２電源伝達部材１２２１は、摺動溝１２１１の内部に形成され、電源の伝達が可能に導体（例えば、鉄、銅等）の材質で形成され、電源接触端子部１００から伝達される電源を摺動溝１２１１へ伝達する。第２電源伝達部材１２２１は、外周面の少なくとも一領域が端子部材１２２２と接触されることで、端子部材１２２２から電源が伝達されるようになる。また、第２電源伝達部材１２２１の一端部は、第２弾性部材１２２３の一側と結合されることで、端子部材１２２２の摺動往復移動時にも第２弾性部材１２２３を安定的に支持する。
【００９７】
端子部材１２２２は、内部に第２弾性部材１２２３を収容する収容溝１２２２−１を備え、摺動溝１２１１に沿って摺動往復移動しながら一側が電源接触端子部１００と締結されて、電源接触端子部１００から伝達される電源を第２電源伝達部材１２２１へ伝達する。端子部材１２２２は電源接触端子部１００の挿入溝１１１に挿入され、一側が電源接触端子部１００に締結されると同時に端子部材１２２２が摺動溝１２１１に沿って摺動往復移動しながら電源接触端子部１００から伝達された電源を第２電源伝達部材１２２１へ伝達する。また、端子部材１２２２は、電源接触端子部１００から伝達された電源を光源モジュール部１２００へ伝達するために、電気を伝達する材質（例えば、鉄、銅等）で形成される。
【００９８】
一実施例において、端子部材１２２２は、少なくとも一領域が電源接触端子部１００と結合するために摺動溝１２１１の外部へ突出されるように形成されることができる。
【００９９】
一実施例において、端子部材１２２２は、挿入溝１１１（図３及び図４を参照）の形態に対応左右方向に形成されるか、上下方向に形成（不図示）されることができる。
【０１００】
第２弾性部材１２２３は、弾性力を有する材質（例えば、スプリング等）で形成され、端子部材１２２２の収容溝１２２２−１に挿入設置されて、端子部材１２２２が電源接触端子部１００に締結される際に端子部材１２２２に弾性を提供する。すなわち、第２弾性部材１２２３は、光源モジュール部２００を挿入溝１１１に締結する際に端子部材１２２２に弾性を提供して、端子部材１２２２が摺動溝１２１１に沿って摺動往復運動することができるようにする。
【０１０１】
一実施例において、第２接触手段１２２０は、第２離脱防止部材（図９の１２２４参照）をさらに含むことができる。
【０１０２】
第２離脱防止部材（図９の１２２４参照）は、光源モジュール部１２００の端子部材１２２２が挿入溝１１１から分離される場合、第２弾性部材１２２３から弾性力の提供された端子部材１２２２が摺動溝１２１１の外部へ離脱されることを防止する。
【０１０３】
一実施例において、第２離脱防止部材（図９の１２２４参照）は、第２係止顎（図９の１２２４−１参照）及び第２係止突起（図９の１２２４−２参照）を含むことができる。
【０１０４】
第２係止顎（図９の１２２４−１参照）は、摺動溝２１１の内側面に突出形成されて、端子部材１２２２が摺動溝１２１１内で外部へ離脱されないように係止する。第２係止顎（図９の１２２４−１参照）は、摺動溝１２１１のの周りに沿って連続した一つの環状に突出形成され得るが、実施例によっては複数の第２係止顎１２２４−１が互いに所定の間隔をなしながら摺動溝１２１１の内側面に分離形成されることができる。
【０１０５】
第２係止突起（図９の１２２４−２参照）は、端子部材１２２２の外側面に突出形成され、摺動溝１２１１の内側面に形成された第２係止顎に係止されることで、端子部材１２２２が摺動溝１２１１の外部へ離脱されることを防止する。
【０１０６】
発光手段１２３０は、一側が電源伝達手段１２１０に連結形成され、摺動溝１２１１を通じて伝達される電源を直流電源に変換させて発光する。発光手段１２３０は、電源が供給されて発光するための一つまたはそれ以上の発光手段（例えば、ＬＥＤ電球等）を含む。
【０１０７】
図９は、図８にある光源モジュール部の動作を説明する図である。
【０１０８】
図９によれば、まず、図９の（ａ）に示されるように、端子部材１２２２は、電源接触端子部１００の挿入溝１１１に挿入前には摺動溝１２１１から少なくとも一領域が突出した形態で形成される。
【０１０９】
逆に、図９の（ｂ）に示されるように、端子部材１２２２が挿入溝１１１に挿入されて第１電源伝達部材１２１と接触するようになると、端子部材１２２２が摺動溝１２１１に沿って後へ移動することになる。これによって、使用者は、電源接触端子部１００と結合された光源モジュール部１２００の一側をそっと押し込んだ後、光源モジュール部１２００の反対一側を支持部３００に容易に結合させることができる。以後、光源モジュール部１２００の反対一側が支持部３００に結合されると、端子部材１２２２は、摺動溝１２１１に沿って前進移動することによって支持部３００と共に光源モジュール部１２００を安定的に支持することができる。
【０１１０】
図１０は、図５にある弾性バーを説明する図である。
【０１１１】
図８によれば、弾性バー２３０は、支持手段２３１、嵌め込み手段２３２及び一つまたはそれ以上の第２弾性手段２３３を含む。
【０１１２】
支持手段２３１は、一側が光源モジュール２２０の他側に連結形成され、他側に嵌め込み手段２３２が摺動手段２３４により摺動移動し、光源モジュール２２０を支持する。
【０１１３】
嵌め込み手段２３２は、一側が光源モジュール２２０の他側で摺動手段２３４により摺動移動し、第２弾性手段２３３から弾性力が提供されて復帰し、他側が支持部３００に嵌められて締結される。
【０１１４】
一実施例において、摺動手段２３４は、摺動溝２３４１及び摺動突起２３４２を含むことができる。
【０１１５】
摺動溝２３４１は、支持手段２３１の他側に形成され、摺動突起２３４２を挿入した後、摺動移動させる。この時、摺動溝２３４１は、溝入口に突起を形成して摺動突起２３４２が抜けて分離されることを防止することが好ましい。
【０１１６】
摺動突起２３４２は、嵌め込み手段２３２の一側に突出形成され、摺動溝２３４１に挿入された後、摺動移動する。この時、摺動突起２３４２は、末端に突起を形成して摺動溝２３４１から抜けて分離されることを防止することが好ましい。
【０１１７】
第２弾性手段２３３は、支持手段２３１と嵌め込み手段２３２との間に形成され、弾性を有する材質（例えば、ばね等）で形成されて嵌め込み手段２３２へ弾性力を提供する。
【０１１８】
図１１は、本発明の実施例による光源モジュール部２００の取手部材２５０を説明する図である。
【０１１９】
取手部材２５０は、光源モジュール部２００の一側下部または一側の両側部分に形成され、指を係止して電源接触端子部１００に締結された光源モジュール部２００を下げたり、上げたりすることで、電源接触端子部１００から光源モジュール部２００が締結または分離されることを容易にする。
【０１２０】
図１２及び図１３は、本発明の第１実施例による支持部を説明する図である。
【０１２１】
図１２及び図１３によれば、支持部３００は、締結溝部材３１０を含む。
【０１２２】
締結溝部材３１０は、光源モジュール部２００の他側（さらに詳しくは、弾性バー２３０）を挿入締結して固定する。
【０１２３】
前述のような構成を有する支持部３００は、傾斜締結部材３２０（図１０を参照）及び弾性部材３３０（図１３を参照）をさらに含むことができる。
【０１２４】
傾斜締結部材３２０は、支持部３００の上部に形成され、一側が傾斜するように形成され、光源モジュール部２００の挿入時に他側へ移動した後、光源モジュール部２００の挿入後、弾性部材３３０から弾性力が提供されて復帰して光源モジュール部２００の他側を締結する。
【０１２５】
弾性部材３３０は、傾斜締結部材３２０の他側に連結形成され、弾性を有する材質（例えば、ばね等）で形成されて傾斜締結部材３２０に弾性力を提供する。
【０１２６】
一実施例において、支持部３００は、上部に傾斜締結部材３２０を挿入した後、摺動移動させるための溝を形成することができ、当該溝の他側に弾性部材３３０が締結されるようにすることができる。
【０１２７】
図１４及び図１５は、本発明の第２実施例による支持部を説明する図である。
【０１２８】
図１４及び図１５によれば、支持部１３００−１はハウジング部材１３１０−１、締結溝部材１３２０−１、弾性部材１３３０−１及び押し部材１３４０−１を含む。
【０１２９】
ハウジング部材１３１０−１は、ねじ結合、接着剤等を通じて灯器具１の少なくとも一領域に固定設置または着脱される方式で設置されることができる。ハウジング部材１３１０−１は、灯器具１の形態及び光源モジュール部１００の形態に対応して多様な形態に変形されることができる。例えば、ハウジング部材１３１０は図１４及び図１５に示されたように、一字状に形成されて、光源モジュール部２００の一側を収容することができる。また、一字状のハウジング部材１３１０−１は複数の光源モジュール部２００が灯器具１内に設置される場合、複数の光源モジュール部２００の連結部位を結合及び支持する役割を行うことができる。また、実施例によっては、一字状のハウジング部材１３１０−１は光源モジュール部２００の角の領域を挿入締結することができる。
【０１３０】
一実施例において、ハウジング部材１３１０−１は、締結溝部材１３２０−１が形成された入口の上部または下部（Ａ領域）が既設定された傾き（例えば、１０°〜３０°等）で内側または外側方向に傾斜が形成されることで、光源モジュール部２００が傾斜面に沿って締結溝部材１３２０−１へ容易に挿入されるようにガイドすることができる。
【０１３１】
一実施例において、ハウジング部材１３１０−１は、締結溝部材１３２０−１が形成された入口の上部または下部がアーチ状に形成されて光源モジュール部２００の挿入及び分離を容易にすることができる。
【０１３２】
締結溝部材１３２０−１は、光源モジュール部２００の一側の形態に対応してハウジング部材１３１０−１の内側に陥没した形態で形成される。締結溝部材１３２０−１は光源モジュール部１００の一側を挿入締結することで、光源モジュール部２００をハウジング部材１３１０−１に安定的に支持することができる。
【０１３３】
弾性部材１３３０−１は締結溝部材１３２０−１の内部に形成され、弾性力を有する材質（例えば、ばね等）で形成されて光源モジュール部２００の一側を締結溝部材１３２０−１に挿入締結する際に光源モジュール部２００の一側に弾性を提供する。具体的に、弾性部材は弾性ユニット１３３１−１及び接触カバーユニット１３３２−１を含む。
【０１３４】
弾性ユニット１３３１−１は弾性力を有する材質（例えば、ばね、シリコン、ゴム等）で形成され、締結溝部材１３２０−１内に収容形成される。このような弾性ユニット１３３１−１の弾性復元力を利用して、光源モジュール部２００を締結溝部材１３２０−１に締結する際に光源モジュール部２００に弾性を提供する。これを通じて、使用者が灯器具１に光源モジュール部２００を設置したり、灯器具１から光源モジュール部２００を分離する場合、弾性ユニット１３３１−１の収縮距離だけの設置または分離のための離隔距離を十分に確保することができ、使用者は光源モジュール部２００を容易に設置及び分離することができる。
【０１３５】
接触カバーユニット１３３２−１は、一側が弾性ユニット１３３１−１に固定設置され、他側が光源モジュール部２００と接触して光源モジュール部２００から伝達される力を弾性ユニット１３３１−１へ伝達する。また、光源モジュール部２００と接触される接触カバーユニット１３３２−１の全面をシリコン、ゴム、合成ゴム、スポンジ等、弾性復元力を有する素材で形成することで、光源モジュール部２００の挿入時、衝撃を吸収することができる。これを通じて、光源モジュール部２００及び支持部１３２０−１の構成の磨耗及び破損を減らすことができ、光源モジュール部２００及び支持部１３２０−１の使用寿命を増やすことができる。
【０１３６】
押し部材１３４０−１は締結溝部材１３２０−１内に連結設置されて、光源モジュール部２００の交換時、光源モジュール部２００を押すことで、光源モジュール部２００の分離を容易にする。具体的に、押し部材１３４０−１は、押し台ユニット１３４１−１及びスプリングユニット１３４２−１を含むことができる。
【０１３７】
押し台ユニット１３４１−１は締結溝部材１３２０−１内に形成され、締結溝部材１３２０−１に沿って往復移動しながら光源モジュール部２００と接触して光源モジュール部２００を前方へ押す。押し台ユニット１３４１−１は、一部の領域がハウジング部材１３１０−１の外部へ突出形成されて、使用者の指と接触される。押し台ユニット１３４１−１が突出形成されると同時に往復移動可能に押し台ユニット１３４１−１が連結形成されるハウジング部材１３１０の領域には開口領域が形成されることができる。
【０１３８】
スプリングユニット１３４２−１は、一側が押し台ユニット１３４１−１に固定設置され、他側が締結溝部材１３２０−１の内側に固定設置される。スプリングユニット１３４２−２は光源モジュール部２００を締結溝部材１３２０−１から押し出す際に、押し台ユニット１３４２−２に弾性を提供する。図１４及び図１５に示されるように、スプリングユニット１３４２−１は弾性ユニット１３３１−１が存在する場合、省略されることができる。すなわち、弾性ユニット１３３１−１がスプリングユニット１３４２−１の機能を同時に行うことができ、この場合、別途のスプリングユニット１３４２−１を設けなくてもよく、支持部１３００−１の構成を簡略化することができる。
【０１３９】
図１６及び図１７は、本発明の第３実施例による支持部を説明する図である。
【０１４０】
図１６及び図１７によれば、本発明の他の実施例による支持部１３００−２は、ハウジング部材１３１０−２、締結溝部材１３２０−２、弾性部材１３３０−２及び押し部材１３４０−２を含む。
【０１４１】
ハウジング部材１３１０−２は、ねじ結合、接着剤等を通じて灯器具１の少なくとも一領域に固定設置または着脱される方式で設置されることができ、図１６及び図１７に示されるように、Ｌ字状に形成されることができる。すなわち、Ｌ字状のハウジング部材１３１０−２は光源モジュール部２００の角を挿入締結して、光源モジュール部２００を灯器具１に安定的に支持する。
【０１４２】
一実施例において、ハウジング部材１３１０−２は、締結溝部材１３２０−２が形成された入口の上部または下部が既設定された傾き（例えば、１０°〜３０°等）で傾斜が形成されることで、光源モジュール部２００が傾斜面に沿って締結溝１３２０−２へ容易に挿入されるようにガイドすることができる。
【０１４３】
締結溝部材１３２０−２は、光源モジュール部２００の角の形態に対応してハウジング部材１３１０−２の内側に陥没した形態で形成される。締結溝部材１３２０−２は光源モジュール部２００の角を挿入締結することで、光源モジュール部２００をハウジング部材１３２０−２に安定的に支持することができる。
【０１４４】
弾性部材１３３０−２及び押し部材１３４０−２の構成及び機能は、前記図１４及び図１５における説明と同一であるところ、重複説明を避けるために、ここでは詳しい説明を省略する。
【０１４５】
一実施例において、ハウジング部材１３１０−２の内側には複数の弾性部材１３３０−２が形成されることができる。これを通じて、使用者は光源モジュール部２００の横方向または縦方向のうち何れかの方向であれ、自由に選択して光源モジュール部２００を支持部１３００−３に結合させるか、支持部１３００−３から光源モジュール部２００を容易に分離させることができる。
【０１４６】
図１８は、図１４〜図１７にある支持部が適用された灯器具用光源モジュール締結装置を説明する。
【０１４７】
図１８によれば、本発明の他の実施例による灯器具用光源モジュール締結装置は、複数の支持部１３００−１、１３００−２により支持されることができる。この時、図１８に示されたように、第３実施例による支持部１３００−２は、内部に複数の（例；２個）の弾性部材１３２０−２をハウジング部材１３１０−２の内側に含むことができる。これを通じて、使用者はさらに容易に光源モジュール部２００を締結及び分離することができる。
【０１４８】
以上、本発明の実施例は、前述の装置及び／または方法を通じてのみ具現されるものではなく、本発明の実施例の構成に対応する機能を実現するためのプログラム、そのプログラムが記録された記録媒体等を通じて具現されることもでき、このような具現は、前述の実施例の記載により、本発明が属する技術分野における専門家であれば、容易に具現することができるものである。
【０１４９】
以上のように本発明の実施例について詳細に説明したが、本発明の権利範囲は、これに限定されるものではなく、次の特許請求の範囲で定義している本発明の基本概念を利用した、本発明が属する技術分野において通常の知識を有する者の様々な変形及び改良形態も本発明の権利範囲に属するものである。
【図１】
2018518809.tif 000003
【図２】
2018518809.tif 000004
【図３】
2018518809.tif 000005
【図４（ａ）】
2018518809.tif 000006
【図４（ｂ）】
2018518809.tif 000007
【図５】
2018518809.tif 000008
【図６】
2018518809.tif 000009
【図７】
2018518809.tif 000010
【図８】
2018518809.tif 000011
【図９（ａ）】
2018518809.tif 000012
【図９（ｂ）】
2018518809.tif 000013
【図１０】
2018518809.tif 000014
【図１１（ａ）】
2018518809.tif 000015
【図１１（ｂ）】
2018518809.tif 000016
【図１２】
2018518809.tif 000017
【図１３】
2018518809.tif 000018
【図１４】
2018518809.tif 000019
【図１５】
2018518809.tif 000020
【図１６】
2018518809.tif 000021
【図１７】
2018518809.tif 000022
【図１８】
2018518809.tif 000023
【国際調査報告】
2018518809.tif 000024
2018518809.tif 000025
2018518809.tif 000026
2018518809.tif 000027